(57)【要約】【課題】本発明は既存の排水システムの排水立て管をそのまま専用通気立て管として採用して排水システム全体をサイフォン排水システムに変更しようとするものである。これによって、リフォ−ム時のコストが安価となるだけでなく、リフォ−ムの際の間取りの自由度が著しく増すこととなる。勿論、作業性の向上もその効果の一つである。【解決手段】既存の排水システムが排水立て管を備えた排水システムであり、リフォ−ム後にサイフォン排水システムとするリフォ−ムシステムであって、サイフォン排水立て管２１を新設し、水廻り器具２２ａ、２２ｂに接続されたサイフォン排水管２４の垂下部２４Ａを所定の水頭差をもって当該新設された排水立て管２１に接続し、かつ、通気管２５を既設の排水立て管１に接続してリフォ−ム後のサイフォン排水システムの専用通気立て管３１として再利用する既設排水立て管の通気管化リフォ−ムシステム。【選択図】図３
2008115582.tif 000002
【特許請求の範囲】
【請求項１】
既存の排水システムが排水立て管を備えた排水システムであり、リフォ−ム後にサイフォン排水システムとするリフォ−ムシステムであって、サイフォン排水立て管を新設し、水廻り器具に接続されたサイフォン排水管の垂下部を所定の水頭差をもって当該新設された排水立て管に接続し、かつ、通気管を既設の排水立て管に接続してリフォ−ム後のサイフォン排水システムの専用通気立て管として再利用することを特徴とする既設排水立て管の通気管化リフォ−ムシステム。
【請求項２】
サイフォン排水システムが一時貯留槽を備えたシステムである請求項１記載の既設排水立て管の通気管化リフォ−ムシステム。
【請求項３】
通気管が一時貯留槽の頂部に接続された請求項２記載の既設排水立て管の通気管化リフォ−ムシステム。
【発明の詳細な説明】
【技術分野】
【０００１】
本発明は、住宅のリフォ−ム時にサイフォン排水システムに切り替えるための排水管リフォ−ムシステムにかかるものである。
【背景技術】
【０００２】
従来より広く採用されている排水システムはいわゆる勾配排水システムであり、集合住宅にあっては、排水立て管がパイプスぺ−ス内に備えられ、各フロアの水廻り器具からの排水は基本的にはスラブ上面或いはスラブ下面にて勾配を付けた排水管が配置され、同一フロアにて排水立て管に接合された継手に合流して排水するシステムである。この他には、例えば圧送排水システム等も提案されている。
【０００３】
しかるに、ＲＣの躯体は６０年程度といわれており、近年では集合住宅のリフォ−ムが広く行われるようになった。このリフォームにおいて最も課題の大きい点は排水に関するものである。即ち、各部屋を貫く排水立て管が存在するが、現在のような設計規格に無かった頃に施工されたため、元々必要な太さが確保されていなかったり、管の劣化が起こっているという不具合もある。
【０００４】
かかるリフォ−ムにあって、この排水立て管が各部屋（共用部）を貫いているため、排水立て管自体のリフォームには大きな困難を伴っていた。このため、リフォームの工法として共用部に排水立て管を新設し、既設の排水立て管はそのままとすることが提案されている。
【０００５】
更に、リフォ−ムに当たって、部屋の配置の変更、即ち水廻り器具の配置の変更が望まれるケ−スが多い。しかしながら、リフォ−ム後の排水システムとして従来の勾配排水システムを再び採用すると、パイプスぺ−ス内に立設されている排水立て管からの距離が遠くなれば、その分床下の空間が広く必要とされる。このことは、居住空間の縦スぺ−スが減ることとなり、住居として優れたものとは言えないものとなってしまうことが指摘されている。このため、部屋の配置の変更等は最小限に留められることも事実である。
【０００６】
さて、近年になり、排水立て管と水廻り器具との課題、居住空間の縦スペ−スとの課題等を同時に解決する技術としてサイフォン排水システムが提案されている（特許文献１、２）。かかるサイフォン排水システムの概要は、集合住宅の上下に排水立て管を配置し、水廻り器具からサイフォン排水管を無勾配でスラブの面に添って敷設し、排水立て管に対し排水管に垂下部を備え、一定の水頭差Ｈｓをもって合流部に接続させるものである。水廻り器具からの排水は排水管内を満流にて流れ、これが水頭差Ｈｓをもって落下する際の引張力によって排水管内の水を一気に排水しようとするものである。そして、特に溜め流しが行われる水廻り器具に対しては一時貯留槽を備えてなるシステムも併せて開発されている。
【０００７】
【特許文献１】特開２０００−２９７４４７号公報
【０００８】
【特許文献２】特開２００３−２０１７２７号公報
【０００９】
かかるサイフォン排水システムでは、水廻り器具が排水立て管からかなり離れたところでも十分排水できるという特徴があり、更に縦方向の居住空間を狭めなくて済むという利点もあるのが特徴であり、前記したようなリフォ−ム時の課題を解決するのには好適な技術とは言えるが、実際にリフォ−ム時に施工する場合の施工技術の提案は多くはない。
【発明の開示】
【発明が解決しようとする課題】
【００１０】
本発明は、主として集合住宅のリフォ−ムの際に、上記したような欠点をなくすリフォ−ムシステムを提供するものであり、従来の勾配排水システムからサイフォン排水システムに変更する際の新たな施工技術の提案である。
【課題を解決するための手段】
【００１１】
本発明の要旨は、既存の排水システムが排水立て管を備えた排水システムであり、リフォ−ム後にサイフォン排水システムとするリフォ−ムシステムであって、サイフォン排水立て管を新設し、水廻り器具に接続されたサイフォン排水管の垂下部を所定の水頭差をもって当該新設された排水立て管に接続し、かつ、通気管を既設の排水立て管に接続してリフォ−ム後のサイフォン排水システムの専用通気立て管として再利用することを特徴とする既設排水立て管の通気管化リフォ−ムシステムにかかるものである。
【発明の効果】
【００１２】
本発明は上記の構成を有するものであり、既存の排水システムの排水立て管をそのまま専用通気立て管として採用して排水システム全体をサイフォン排水システムに変更しようとするものである。これによって、リフォ−ム時のコストが安価となるだけでなく、リフォ−ムの際の間取りの自由度が著しく増すこととなったものである。勿論、作業性の向上もその効果の一つである。
【発明を実施するための最良の形態】
【００１３】
本発明は既存の勾配排水システムとリフォ−ム時のサイフォン排水システムの融合を目指したものであり、既存のシステムに備わっている部位を十分に利用して新たな排水システムとしようとするものである。即ち、既存のシステムでは排水立て管が備えられているところから、これを専用の通気立て管として再利用するものであり、リフォ−ム時のコストの削減と共に部屋の配置の変更等にも対応できるシステムとしたものである。
【００１４】
サイフォン排水において、一時貯留槽方式においても、非貯留槽方式においても封水切れ対策として通気が必要である。そして、通気方法の例として排水管と兼用する方法もあるが、最も効果を発揮する方法としては専用の通気立て管を設置することである。特に、溜め流しに対応するため一時貯留槽が備えられるケ−スがあるが、一時貯留槽内には排水が急激に流れ込んだり、急激に流失することが行われるため、一時貯留槽内部の空気の出入りがこれに伴って急速に行われることとなる。
【００１５】
従って、一時貯留槽内の空気の出入りのために通気管が配設されるのが一般的であるが、通気管は臭気を伴うために居住者の近辺には開放できない。このため、通常では水廻り器具に接続されたサイフォン排水管と一緒に扱われ、この排水管と同じように排水立て管の合流部に接続されており、このため、通気管も合流部に向かって垂下部が形成されている。この垂下部は通気管にとっては全く不必要な構成である。
【００１６】
既存の排水システムに用いられた排水立て管はそのまま使用しない状態（封鎖）とするのが一般的であったが、本発明はその既設の排水立て管をサイフォン排水システムの専用の通気立て管として利用しようとするもので、これはいわゆるル−プ通気に近い構造としたものである。
【００１７】
本発明の構成を採用することにより、以下の特徴が挙げられる。即ち、１）専用通気立て管を無駄に長く配管する必要がなくなったこと、２）専用通気立て管を無駄に垂下させる必要が無くなったこと、３）他の階の排水による影響を受けなくなったこと、４）新設の排水立て管の負荷も少なくなるし、管径も細くできること、５）通気の継手は、既設の排水に用いた継手が利用できるので、新たな継手の設置の必要がなくなったこと、等の特徴が挙げられる。
【実施例】
【００１８】
以下、本発明を実施例をもって更に説明する。先ず、図１は既設の勾配排水システムの概略を示す図である。即ち、排水立て管１と、水廻り器具２ａ、２ｂ、．．．とがあり、その間を勾配を付けた排水管３が接続された例である。Ｓ（ｎ）はスラブであり、スラブＳ（ｎ）上の全ての水廻り器具２ａ、２ｂ、．．．から出る排水は全て同一階で排水立て管１に設置した合流部４に接続されている。
【００１９】
図２はサイフォン排水システムの概略を示す図である。集合住宅の上下に排水立て管１１を配置し、水廻り器具１２ａ、１２ｂ、．．．から一時貯留槽１３へ排水を一度溜め込み、サイフォン排水管１４を無勾配でスラブＳの面に添って敷設し、排水立て管１１に対し排水管１４に垂下部１４Ａを備え、一定の水頭差Ｈｓをもって合流部１５に接続させるものである。排水は排水管１４内を満流にて流れ、これが水頭差Ｈｓをもって落下する際の引張力によって排水管１４、１４Ａ内の水を一気に排水しようとするものである。そして、一時貯留槽１３の頂部に通気管１６を備え、排水管１４、１４Ａと共に合流部１５に接続するシステムである。
【００２０】
さて、図３は本発明の実施例であって、図１の既設の排水システムをリフォ−ムしてサイフォン排水システムに変更した概略図である。この例では、サイフォン排水用の排水立て管２１を新たに共用部分に立設し、スラブＳｎにおける水廻り器具２２ａ、２２ｂ、．．．の位置を既設の位置とは変更したものである。そして、一時貯留槽２３を備え、サイフォン排水管２４を接続したものであり、スラブＳｎ面に添って無勾配で配設したものである。一方、一時貯留槽２３に通気管２５を接続したものである。
【００２１】
そして、排水立て管２１と排水管２４との接続にあっては、水頭差Ｈｓをもって合流部２６を備え、排水管２４を垂下（垂下部２４Ａ）させてその先端を合流部２６に接続させたものである。
【００２２】
一方、通気管２５は既設排水システムで排水立て管１として用いられていた立て管をそのまま専用の通気立て管３１として利用したものであり、この例では、水廻り器具２２ａ、２２ｂがあるスラブＳｎと同一面でこれまた既設の合流部４を通気管２５の合流部３２として利用して接続したものである。
【００２３】
この例ではスラブＳｎの上面に配設したが、図示はしないが、スラブＳｎの下面（一階下からは天井裏）を排水管１３を配設する場合もある。
【産業上の利用可能性】
【００２４】
本発明は既存の排水システムの排水立て管をそのまま採用して排水システム全体をサイフォン排水システムに変更するものであり、リフォ−ム時のコストが安価となるだけでなく、リフォ−ムの際の間取りの自由度が著しく増すこととなったものである。尚、通気管といえども長い距離を配管するのは困難であり、この点でも作業性の向上が大いに見込まれる。
【図面の簡単な説明】
【００２５】
【図１】図１は既設の勾配排水システムの概略を示す図である。
【図２】図２はサイフォン排水システムの概略を示す図である。
【図３】図３は本発明の実施例であって、既設の排水システムをリフォ−ムしてサイフォン排水システムに変更した概略図である。
【符号の説明】
【００２６】
１‥既設の勾配排水システムにおける排水立て管、
２ａ、２ｂ‥既設の勾配排水システムにおける水廻り器具、
３‥既設の勾配排水システムにおける排水管、
４‥既設の勾配排水システムにおける合流部、
１１‥サイフォン排水システムにおける排水立て管、
１２ａ、１２ｂ‥サイフォン排水システムにおける水廻り器具、
１３‥一時貯留槽、
１４‥サイフォン排水システムにおける排水管、
１４Ａ‥サイフォン排水システムにおける排水管の垂下部、
１５‥サイフォン排水システムにおける合流部、
１６‥サイフォン排水システムにおける通気管、
２１‥本発明システムにおける排水立て管、
２２ａ、２２ｂ‥本発明システムにおける水廻り器具、
２３‥一時貯留槽、
２４‥本発明システムにおける排水管、
２４Ａ‥本発明システムにおける排水管の垂下部、
２５‥本発明システムにおける通気管、
２６‥本発明システムにおける合流部、
３１‥通気立て管、
３２‥合流部、
Ｓ‥スラブ。
【図１】
2008115582.tif 000003
【図２】
2008115582.tif 000004
【図３】
2008115582.tif 000005